(57)【要約】【課題】調理中のパンの焼き色を見ることができない構造であっても、調理中にパンがどの程度の焼き色まで焼けているのかを知ることができるようにすること。【解決手段】焼き色レベル選択部５と、焼き色レベル表示部６と、調理経過時間計時部４と、制御部２とを備え、制御部２は、選択された焼き色レベルを焼き色レベル表示部６に表示すると共に、調理経過時間計時部４が計時した調理経過時間が各焼き色レベル毎に定めされている調理時間を超えた焼き色レベルを焼き色レベル表示部６に行うようにすることにより、調理中のパンの焼き色を見ることができない構造であっても、調理中にパンがどの程度の焼き色まで焼けているのかを知ることができる。【選択図】図１
2013252277.tif 000002
【特許請求の範囲】
【請求項１】
パンを収納して加熱するための加熱部と、報知部と、を有し、前記加熱部によるパンの加熱中に、前記報知部が現在の焼き色レベルを報知することを特徴とするトースター。
【請求項２】
パンを収納して加熱するための加熱部と、
報知部と、
調理時間に対応する焼き色レベルを複数記憶する調理時間記憶部と、調理開始からの経過時間を計時する調理経過時間計時部と、を備え、
前記調理経過時間計時部が計時した時間が、前記調理時間記憶部に記憶されている各焼き色レベルの調理時間に達すると、前記報知部は、達した調理時間に対応する焼き色レベルを報知することを特徴とするトースター。
【請求項３】
パンを収納して加熱するための加熱部と、
パンの焼き色レベルを選択するための焼き色レベル選択部と、報知部と、
調理時間に対応する焼き色レベルを複数記憶する調理時間記憶部と、調理開始からの経過時間を計時する調理経過時間計時部と、を備え、
前記加熱部によるパンの加熱開始後に、前記報知部が、前記焼き色レベル選択部により選択された焼き色レベルを報知すると共に、前記調理経過時間計時部が計時した時間に対応する、前記調理時間記憶部に記憶されている焼き色レベルを報知するように制御することを特徴とするトースター。
【請求項４】
請求項３に記載のトースターであり、
前記焼き色レベル選択部により選択された焼き色レベルの報知形態と、前記調理経過時間計時部が計時した時間に対応する、前記調理時間記憶部に記憶されている焼き色レベルの報知形態とが異なることを特徴とするトースター。
【請求項５】
請求項２〜４のいずれかに記載のトースターであり、前記調理時間記憶部に記憶されている複数の焼き色レベルと、当該複数の焼き色レベル夫々に対応する調理時間とは非線形の関係にあることを特徴とするトースター。
【発明の詳細な説明】
【技術分野】
【０００１】
本発明は、ポップアップ式トースター等のトースターに関するものである。
【背景技術】
【０００２】
従来、この種のトースターは、設定時間から調理経過時間を減じた時間（残時間）に応じてＬＥＤによる表示を変更することにより、調理の進捗を表示している（例えば、特許文献１参照）。また、調理残時間を数値で表示しているものもある（例えば、特許文献２参照）。
【０００３】
図７は、特許文献１に記載された従来のトースターの表示部を示すものである。図７に示すように、時間設定ダイヤル１０１によって調理時間を設定し、調理設定時間から経過時間を減じた結果が１５分〜２０分の場合はＬＥＤ１０２が点灯、１０分〜１５分の場合はＬＥＤ１０３が点灯といったように、調理経過時間を減じた時間（残時間）に応じて点灯するＬＥＤが切り替わるように構成されている。
【先行技術文献】
【特許文献】
【０００４】
【特許文献１】特許第３０４５０２８号公報
【特許文献２】特許第３１２３３８２号公報
【発明の概要】
【発明が解決しようとする課題】
【０００５】
しかしながら、前記従来の構成では、調理残時間にあわせた表示を行うことによって調理の進捗を使用者にお知らせする構成であるため、パンがどの程度の焼き色まで焼けているのかは調理中のパンを見る必要があり、例えばポップアップ式のトースターのように調理中のパンの焼き色を見ることができない構造の場合は、前記従来の構成の進捗表示では、パンがどの程度の焼き色まで焼けているのかを知ることができないため、調理終了時間を待たずに調理を途中終了したい場合に、どの程度まで焼けているのかは調理動作を取消すまでわからないという課題を有していた。
【０００６】
本発明は、前記従来の課題を解決するもので、調理中のパンの焼き色を見ることができない構造であっても、調理中にパンがどの程度の焼き色まで焼けているのかを知ることができるポップアップ式のトースターを提供することを目的とする。
【課題を解決するための手段】
【０００７】
前記従来の課題を解決するために、請求項１に記載のトースターは、パンを収納して加熱するための加熱部と、報知部と、を有し、前記加熱部によるパンの加熱中に、前記報知部が現在の焼き色レベルを報知することを特徴とする。
【０００８】
請求項２に記載のトースターは、パンを収納して加熱するための加熱部と、報知部と、調理時間に対応する焼き色レベルを複数記憶する調理時間記憶部と、調理開始からの経過時間を計時する調理経過時間計時部と、を備え、前記調理経過時間計時部が計時した時間が、前記調理時間記憶部に記憶されている各焼き色レベルの調理時間に達すると、前記報知部は、達した調理時間に対応する焼き色レベルを報知することを特徴とする。
【０００９】
請求項３に記載のトースターは、パンを収納して加熱するための加熱部と、パンの焼き色レベルを選択するための焼き色レベル選択部と、報知部と、調理時間に対応する焼き色レベルを複数記憶する調理時間記憶部と、調理開始からの経過時間を計時する調理経過時間計時部と、を備え、前記加熱部によるパンの加熱開始後に、前記報知部が、前記焼き色レベル選択部により選択された焼き色レベルを報知すると共に、前記調理経過時間計時部が計時した時間に対応する、前記調理時間記憶部に記憶されている焼き色レベルを報知するように制御することを特徴とする。
【００１０】
請求項４に記載のトースターは、請求項３に記載のトースターであり、前記焼き色レベル選択部により選択された焼き色レベルの報知形態と、前記調理経過時間計時部が計時した時間に対応する、前記調理時間記憶部に記憶されている焼き色レベルの報知形態とが異なることを特徴とする。
【００１１】
請求項５に記載のトースターは、請求項２〜４のいずれかに記載のトースターであり、前記調理時間記憶部に記憶されている複数の焼き色レベルと、当該複数の焼き色レベル夫々に対応する調理時間とは非線形の関係にあることを特徴とする。
【００１２】
本発明により、調理の進捗が調理中のパンの焼き色レベルと連動して表示されるようになり、調理中のパンの焼き色を見ることができない構造であっても、調理中にパンがどの程度の焼き色まで焼けているのかを知ることができるようになる。
【発明の効果】
【００１３】
本発明のトースターは、調理中のパンの焼き色を見ることができない構造であっても、調理中にパンがどの程度の焼き色まで焼けているのかを知ることができる。
【図面の簡単な説明】
【００１４】
【図１】本発明を適用してなる実施例におけるトースターのブロック図
【図２】本発明を適用してなる実施例におけるトースターの斜視図
【図３】本発明を適用してなる実施例におけるトースターの動作を示すフローチャート
【図４】本発明を適用してなる実施例におけるトースターの表示操作部を示す図
【図５】焼き色レベルと調理時間の関係を示す図
【図６】本発明を適用してなる第３実施例装置のブロック図
【図７】従来のトースターの表示部の図
【発明を実施するための形態】
【００１５】
第１の発明は、パンを収納して加熱するための加熱部と、報知部と、を有し、前記加熱部によるパンの加熱中に、前記報知部が現在の焼き色レベルを報知することを特徴とする。このため、調理中のパンの焼き色を見ることができない構造であっても、ユーザは、調理中にパンがどの程度の焼き色まで焼けているのかを知ることができる。
【００１６】
第２の発明は、パンを収納して加熱するための加熱部と、報知部と、調理時間に対応する焼き色レベルを複数記憶する調理時間記憶部と、調理開始からの経過時間を計時する調理経過時間計時部と、を備え、前記調理経過時間計時部が計時した時間が、前記調理時間記憶部に記憶されている各焼き色レベルの調理時間に達すると、前記報知部は、達した調理時間に対応する焼き色レベルを報知することを特徴とする。このため、調理の進捗が調理中のパンの焼き色レベルとして表示されるようになり、調理中のパンの焼き色を見ることができない構造であっても、調理中にパンがどの程度の焼き色まで焼けているのかを知ることができる。
【００１７】
第３の発明は、パンを収納して加熱するための加熱部と、パンの焼き色レベルを選択するための焼き色レベル選択部と、報知部と、調理時間に対応する焼き色レベルを複数記憶する調理時間記憶部と、調理開始からの経過時間を計時する調理経過時間計時部と、を備え、前記加熱部によるパンの加熱開始後に、前記報知部が、前記焼き色レベル選択部により選択された焼き色レベルを報知すると共に、前記調理経過時間計時部が計時した時間に対応する、前記調理時間記憶部に記憶されている焼き色レベルを報知するように制御することを特徴とする。このため、ユーザが選択した焼き色レベルと調理の進捗状況をより把握しやすくすることができる。
【００１８】
第４の発明は、請求項３に記載のトースターであり、前記焼き色レベル選択部により選択された焼き色レベルの報知形態と、前記調理経過時間計時部が計時した時間に対応する、前記調理時間記憶部に記憶されている焼き色レベルの報知形態とが異なることを特徴とする。このため、例えば同一の報知装置を用いた場合でも、ユーザが設定した焼き色レベルと、現在の焼き色レベルとをユーザが容易に判別できる。
【００１９】
第５の発明は、請求項２〜４のいずれかに記載のトースターであり、前記調理時間記憶部に記憶されている複数の焼き色レベルと、当該複数の焼き色レベル夫々に対応する調理時間とは非線形の関係にあることを特徴とする。このため、確実に焼き色レベルと調理時間とを対応付けることが可能である。
【００２０】
以下、本発明の実施の形態について、図面を参照しながら説明する。なお、この実施の形態によって本発明が限定されるものではない。
【実施例】
【００２１】
（実施例１）
図１は、本発明を適用してなる第１実施例装置であるトースターのブロック図である。また、図２は、本発明の第１の実施の形態におけるトースターの斜視図である。
【００２２】
図１において、加熱部１は、本体に収納したパンを加熱するためのものである。電源供給部１２は、電源１１と加熱部１および電源回路部１３とを接続および遮断するためのものである。
【００２３】
この電源供給部１２は、図２におけるパン昇降レバー１２ａとスイッチとソレノイド（共に図示せず）により構成され、パン昇降レバー１２ａはバネ（図示せず）により常時上昇方向に引っ張られるように構成されている。ユーザがパン昇降レバー１２ａを降ろすと、電源１１と加熱部１および電源回路部１３とを接続する電源供給部１２内のスイッチがオンし、加熱部１と電源回路部１３に電源が供給される。電源回路部１３には、例えばＣＰＵ（Ｃｅｎｔｒａｌ  Ｐｒｏｃｅｓｓｉｎｇ  Ｕｎｉｔ）といった半導体素子からなる制御部２が接続されており、電源供給部１２のオンに伴って、電源回路部１３を介して制御部２にも電源が供給される。
【００２４】
制御部２に電源が供給されると、制御部２は電源供給部１２を構成するソレノイドを駆動させて、パン昇降レバー１２ａが下降した状態で固定し、電源１１と加熱部１および電源回路部１３とを接続するスイッチの押下状態を維持した状態で加熱部１を加熱させ、調理を行う。
【００２５】
焼き色レベル選択部５は、パンの焼き色レベルを選択するためのスイッチであり、使用者は焼き色レベル表示部６を見ながら焼き色レベルを選択する。尚、この焼き色レベル選択部５は、スイッチではなく複数のキーから構成しても良いし、タッチパネル等の入力装置により構成しても良い。
【００２６】
焼き色レベル表示部６（報知部）は、焼き色レベル選択部５で選択された焼き色レベルを使用者に報知するためのもので、焼き色レベル選択部５で選択可能な各焼き色レベルに対応した複数のＬＥＤ（Ｌｉｇｈｔ  Ｅｍｉｔｔｉｎｇ  Ｄｉｏｄｅ）によって構成される。
【００２７】
調理時間記憶部３は、制御部２に内蔵されたメモリであり、焼き色レベル選択部５で選択可能な各焼き色レベルに対応した調理時間を予め記憶している。より具体的には、図５（ａ）に示すように、１〜７の７段階の焼き色レベル夫々に調理時間が対応付けられて記憶されている。
【００２８】
例えば、ユーザが設定した焼き色レベルが焼き色レベル１の場合には、調理時間から１１０秒経過すると調理が終了し、焼き色レベル２の場合には、調理時間から１３０秒経過すると調理が終了し、焼き色レベル３の場合には、調理時間から１４０秒経過すると調理が終了し、焼き色レベル４の場合には、調理時間から１５５秒経過すると調理が終了し、焼き色レベル５の場合には、調理時間から１７０秒経過すると調理が終了し、焼き色レベル６の場合には、調理時間から１９０秒経過すると調理が終了し、焼き色レベル７の場合には、調理時間から２１０秒経過すると調理が終了する、このような情報が記憶されている。尚、各焼き色レベル間の調理時間間隔は一定ではなく、例えば、焼き色レベル１からレベル２までの間は調理時間間隔が２０秒であるが、焼き色レベル２からレベル３までの間は調理時間間隔が１０秒であり、焼き色レベル３からレベル４までの間は調理時間間隔が１５秒となっている。このため、焼き色レベルと調理時間との関係は、線形、所謂リニアな関係とはなっていない。
【００２９】
又、図５（ａ）に示す情報はＬＥＤの点灯、点滅制御にも用いられ、調理開始後１１０秒〜１３０秒の間は焼き色レベル１、１３０〜１４０秒の間は焼き色レベル２、１４０秒〜１５５秒の間は焼き色レベル３、１５５〜１７０秒の間は焼き色レベル４、１７０〜１９０秒の間は焼き色レベル５、１９０〜２１０秒の間は焼き色レベル６、夫々のレベルに対応するＬＥＤが点滅する。
【００３０】
尚、この調理時間記憶部３は、これらの情報の他に、制御部２が処理する或いは処理した各種データを記憶することも可能であるし、制御部２を動作させる為の制御プログラムを記憶することも可能である。又、この調理時間記憶部３を、制御部２外部の例えばフラッシュメモリ等の記憶素子で構成するようにしても良い。
【００３１】
調理経過時間計時部４は、調理開始からの経過時間を計時するためのもので、制御部２に内蔵されたタイマを利用して調理経過時間の計時を行う。調理経過時間計時部４が計時した調理経過時間が、選択されている焼き色レベルに対応した調理時間に到達すると、制御部２は電源供給部１２を構成するソレノイドの駆動を停止させて、パン昇降レバー１２ａの固定を解除し、電源１１と加熱部１および電源回路部１３とを接続するスイッチの押下状態を解除することにより調理を終了するように構成している。
【００３２】
以上のように構成されたトースターについて、以下その動作、作用を説明する。
【００３３】
図３は、第１実施例におけるトースターの調理中の動作を示すフローチャートである。また、図４は、第１実施例におけるトースターの表示操作部を示す図である。更に、図５（ａ）は第１実施例における焼き色レベルと調理時間との関係を示す図である。
【００３４】
第１実施例装置では、パンを焼き上げる際にユーザが焼き色レベルを設定すると、図４（ａ）に示すようにまず設定された焼き色レベル（例えばレベル５）のＬＥＤが点灯し、調理時間が経過するたびに、淡い色の焼き色（例えばレベル１）から濃い色の焼き色（例えばレベル４）まで点滅するＬＥＤが変化する。ユーザはどのＬＥＤが点滅しているかを見ることにより、現在のパンの焼き色を知ることが可能である。
【００３５】
具体的に、図３のフロー図を用いて第１実施例装置の動作を以下に説明する。図３のステップＳ０１において、まずユーザは焼き色レベルを設定する。ステップＳ０１では、制御部２は、焼き色レベル選択部５によって選択された焼き色レベルに対応した焼き色レベル表示部６のＬＥＤを点灯させてステップＳ０２に進む。尚、ステップＳ０１で焼き色レベル５が選択されていた場合の焼き色レベル表示部６の表示は、図４の（ａ）に示すように、レベル５に対応するＬＥＤが点灯する。
【００３６】
尚、図５（ａ）に示すように、焼き色レベルはレベル１〜レベル７までの７段階で設定可能であり、レベル１に近い程淡い焼き色となり、レベル７に近い程濃い焼き色となる。又、本実施例ではユーザがレベル５の焼き色レベルを設定する例を挙げたが、レベル４を設定すればレベル４に対応するＬＥＤが点灯するように、他のレベルを設定するとその設定されたＬＥＤが点灯する。
【００３７】
続いて、ユーザがパンを図２に示す加熱部１にセットし、パン昇降レバー１２ａを下方に下げることによりパンの調理が開始される。
【００３８】
ステップＳ０２では、制御部２は、調理経過時間計時部４が計時している調理開始からの経過時間（調理経過時間）を読み出してステップＳ０３に進む。
【００３９】
ステップＳ０３では、制御部２は、焼き色レベル選択部５によって選択された焼き色レベルに対応した調理時間を調理時間記憶部３から読み出し、ステップＳ０２で読み出した調理経過時間が現在選択されている焼き色レベルの調理時間に到達しているかを確認し、到達している場合は電源供給部１２を構成するソレノイドの駆動を停止させて、パン昇降レバー１２ａの固定を解除し、電源１１と加熱部１および電源回路部１３とを接続するスイッチの押下状態を解除することにより調理を終了する。一方、調理経過時間が設定されている焼き色レベルの調理時間に到達していない場合はステップＳ０４に進む。即ち、ステップＳ０３では、制御部２は、調理時間記憶部３に記憶されている図５（ａ）のデータを読み出して、ユーザが設定した焼き色レベルに対応する調理時間が経過したと判定すると、調理動作を停止させる。
【００４０】
ステップＳ０４では、制御部２は、ステップＳ０１で設定された焼き色レベル（例えば、レベル５）を変数Ｘに設定する。即ち、制御部２内のメモリ領域（例えば調理時間記憶部３）に変数Ｘ＝５となるように設定する。
【００４１】
ステップＳ０５では、制御部２は、調理経過時間計時部４が計時している調理開始からの経過時間（調理経過時間）と、現在の変数Ｘに対応する調理時間とを比較し、現在の調理時間が現在の変数Ｘに対応する調理時間に達したと判定すると、ステップＳ０８に処理を進め、そうでなければ、Ｓ０６ステップへ処理を進める。
【００４２】
ステップＳ０６では、制御部２は、現在の変数Ｘが焼き色の最小レベル、即ちレベル１であると判定するとステップＳ０２へ処理を戻し、そうでなければ、ステップＳ０７へ処理を進め変数Ｘを１デクリメントした後に、ステップＳ０５へ処理を戻す。
【００４３】
ステップＳ０８では、制御部２は、現在の変数Ｘに対応するレベルのＬＥＤを点滅させ、ステップＳ０２へ処理を戻す。
【００４４】
このように、ステップＳ０４〜ステップＳ０７では、制御部２は、設定されている焼き色レベルから焼き色レベルが低い方（焼き色が薄くなる方向）へ順番に、調理経過時間が各焼き色レベルの調理時間に到達しているかを確認していき、調理経過時間が調理時間に到達している焼き色レベルがあった時点でステップＳ０８へ進んで、調理経過時間が調理時間に到達している焼き色レベルに対応した焼き色レベル表示部６のＬＥＤを点滅させて、ステップＳ０２に戻り調理を継続する。なお、ステップＳ０４〜ステップＳ０７で、最も低い焼き色レベルまで確認しても調理経過時間が調理時間に到達していなかった場合、すなわち調理経過時間が、最も低い焼き色レベルの調理時間にも到達していない場合は、ステップＳ０６からステップＳ０２に戻り調理を継続する。
【００４５】
例えば、調理経過時間が焼き色レベル１の調理時間に到達した時点では焼き色レベル表示部６の表示は図４の（ｂ）のように、設定されている焼き色レベル５に対応するＬＥＤが点灯すると共に、現在の調理時間に対応する焼き色レベル１のＬＥＤが点滅する。
【００４６】
さらに時間が経過し、調理経過時間が焼き色レベル２の調理時間に到達した時点では焼き色レベル表示部６の表示は図４の（ｃ）のように、設定されている焼き色レベル５に対応するＬＥＤが点灯すると共に、現在の調理時間に対応する焼き色レベル２のＬＥＤが点滅する。
【００４７】
以上のように、第１実施例においては、制御部２は、焼き色レベル選択部５により選択された焼き色レベルを焼き色レベル表示部６に表示すると共に、調理経過時間計時部４が計時した調理経過時間が調理時間記憶部３に記憶されている各焼き色レベルの調理時間を超えると、調理時間を超えた焼き色レベルに対応した表示を焼き色レベル表示部６に行う（具体的には、現在の焼き色レベルに対応するＬＥＤを点滅させる）ようにすることにより、調理の進捗が調理中のパンの焼き色レベルと連動して表示されるようになり、調理中のパンの焼き色を見ることができない構造であっても、調理中にパンがどの程度の焼き色まで焼けているのかを知ることができる。
【００４８】
（第２実施例）
次に第２実施例装置について説明する。パンを連続して焼く場合には、１回目の調理の直後はヒータが高温であるために、２回目の調理ではパンが早く焼き上がる。このため、
第２実施例装置では、トースター内部に温度検出装置（例えばサーミスタ）を配置し、この温度検出装置の検出した温度に応じて調理時間を変更している。例えば、高温であれば通常の調理時間よりも調理時間を短くしている。
【００４９】
より具体的に以下に説明する。尚、ブロック図とフロー図については第１実施例と略同一であるため説明を省略する。
【００５０】
調理時間記憶部３に、図５（ｂ）に示すような複数（例えば４つ）のテーブルが記憶されている。例えば、調理開始時の装置内の温度が３０度〜４９度以下であれば、テーブルＢが選択される。具体的には、テーブルＢでは、ユーザが設定した焼き色レベルが焼き色レベル１の場合には、調理時間から１０５秒経過すると調理が終了し、焼き色レベル２の場合には、調理時間から１２５秒経過すると調理が終了し、焼き色レベル３の場合には、調理時間から１３５秒経過すると調理が終了し、焼き色レベル４の場合には、調理時間から１５０秒経過すると調理が終了し、焼き色レベル５の場合には、調理時間から１６５秒経過すると調理が終了し、焼き色レベル６の場合には、調理時間から１８５秒経過すると調理が終了し、焼き色レベル７の場合には、調理時間から２０５秒経過すると調理が終了する情報を示している。
【００５１】
同様に、テーブルＣは、開始温度が５０度〜７９度以下の場合の調理時間が、テーブルＤは、開始温度が８０度以上の場合の調理時間が記憶されている。図５（ｂ）の４つのテーブルを見ても明らかなように、調理開始時の温度が高くなれば高くなるほど、調理時間が短くなっている。
【００５２】
次に第２実施例の動作についてより詳細に説明する。調理開始時、即ち、パン昇降レバー１２ａが下方に下げられると制御部２への通電が開始され、制御部２は温度検出装置から現在の温度の情報を入力し、この入力した温度から、調理時間記憶部３に記憶されている４つのテーブルから該当するテーブルを選択する。例えば、温度検出装置が検出した温度が３０度未満であれば、テーブルＡが選択され、温度検出装置が検出した温度が３０〜４９度未満であれば、テーブルＢが選択される。
【００５３】
以降の動作は第１実施例の図３の動作と同様である。但し、制御部２が参照する調理時間記憶部３に記憶されているデータは、第１実施例では、図５（ａ）に示す１つのテーブルであったのに対し、第２実施例では、図５（ｂ）に示す４つのテーブルの内、１つのテーブルを選択する。尚、ＬＥＤの点滅動作も調理開始時に選択されたテーブルを参照して行われる。
【００５４】
このように、第２実施例装置では、連続してパンを調理する場合でもユーザが所望する焼き色でパンを焼き上げることが可能である。
【００５５】
（第３実施例）
次に第３実施例装置について説明する。パンを連続して焼く場合には、１回目の調理の直後はヒータが高温であるために、２回目の調理ではパンが早く焼き上がる。このため、
第３実施例装置では、調理が終了してから次の調理開始までの時間を計時し、この計時した時間に応じて調理時間を変更している。例えば、調理が終了してから直ちに再度調理を開始するのであれば通常の調理時間よりも調理時間を短くしている。
【００５６】
より具体的に以下に説明する。図６は第３実施例装置のブロック図である。図１の第１実施例装置のブロック図と異なる部分のみ以下に説明する。第３実施例装置では、調理終了から調理開始までの計時を行う必要があるために、調理終了後にも制御部２には電源が供給されている。図６において、電源回路部１３は電源１１からの電力を制御部２に供給するための回路であり、電源供給検知部１４は、電源供給部１２がオン状態であるか否か、換言すれば、電源供給部１２のレバー１２ａが下げられたか否かを検知する。尚、フロー図については以下の点を除き第１実施例と略同一であるため説明を省略する。
【００５７】
第３実施例では、先ほど述べたように第１実施例と異なり、調理が終了しても電源回路部１３は制御部２への通電を継続させている。又、調理時間記憶部３に、図５（ｃ）に示すような複数（例えば４つ）のテーブルが記憶されている。例えば、前回の調理終了から５〜９分経過したのであれば、テーブルＢが選択される。具体的には、テーブルＢでは、ユーザが設定した焼き色レベルが焼き色レベル１の場合には、調理時間から１０５秒経過すると調理が終了し、焼き色レベル２の場合には、調理時間から１２５秒経過すると調理が終了し、焼き色レベル３の場合には、調理時間から１３５秒経過すると調理が終了し、焼き色レベル４の場合には、調理時間から１５０秒経過すると調理が終了し、焼き色レベル５の場合には、調理時間から１６５秒経過すると調理が終了し、焼き色レベル６の場合には、調理時間から１８５秒経過すると調理が終了し、焼き色レベル７の場合には、調理時間から２０５秒経過すると調理が終了する情報を示している。
【００５８】
同様に、テーブルＣは、前回の調理終了から２〜４分経過した場合の調理時間が、テーブルＤは、前回の調理終了から２分未満の場合の調理時間が記憶されている。図５（ｃ）の４つのテーブルを見ても明らかなように、前回の調理終了から調理開始までの時間が短ければ短いほど、調理時間が短くなっている。
【００５９】
次に第３実施例の動作についてより詳細に説明する。まず、ユーザがプラグを挿すと制御部２に電源が供給され、続いてユーザがレバー１２ａを下げると、電源供給部１２が加熱部１へ電源を供給すると共に、電源供給検知部１４が、電源がオンされたことを検知し、この検知結果を制御部２へ送る。制御部２はこの電源供給検知部１４からの検知結果に基づいて電源供給部１２内のソレノイドを制御して、レバー１２ａを固定し、調理終了まで加熱部１への電源供給を維持する。調理が終了すると、制御部２は計時を開始し次の調理開始時、即ち、電源供給検知部１４が、パン昇降レバー１２ａが下方に下げられたことを検知すると、制御部２は、現在の計時時間が何分であるかを判定し、この判定結果から、調理時間記憶部３に記憶されている４つのテーブルから該当するテーブルを選択する。例えば、計時した時間が１０分以上であれば、テーブルＡが選択され、計時した時間が５〜９分であれば、テーブルＢが選択される。
【００６０】
以降の動作は第２実施例の図３の動作と同様である。但し、制御部２が参照する調理時間記憶部３に記憶されているデータは、第２実施例では、図５（ｂ）に示すテーブルであったのに対し、第３実施例では、図５（ｃ）に示す４つのテーブルの内、１つのテーブルを選択する。尚、ＬＥＤの点滅動作も調理開始時に選択されたテーブルを参照して行われる。又、調理が終了し制御部２が計時を開始してから所定時間（例えば１０分）以上経過すると、制御部２が計時動作を停止しても良い。１０分以上経過していると装置内部は十分に冷えている可能性が高いため、１０分以上の計時動作は無駄だからである。
【００６１】
このように、第３実施例装置では、連続してパンを調理する場合でもユーザが所望する焼き色でパンを焼き上げることが可能である。
【００６２】
以上のように、本実施例装置においては、制御部２は、焼き色レベル選択部５により選択された焼き色レベルを焼き色レベル表示部６に表示すると共に、調理経過時間計時部４が計時した調理経過時間が調理時間記憶部３に記憶されている各焼き色レベルの調理時間を超えると、調理時間を超えた焼き色レベルに対応した表示を焼き色レベル表示部６に行う（具体的には、現在の焼き色レベルに対応するＬＥＤを点滅させる）ようにすることにより、調理の進捗が調理中のパンの焼き色レベルと連動して表示されるようになり、調理中のパンの焼き色を見ることができない構造であっても、調理中にパンがどの程度の焼き色まで焼けているのかを知ることができる。
【００６３】
また、焼き色レベル選択部５により選択された焼き色レベルを点灯表示、現在の焼き色レベルを点滅表示とすることにより、焼き色レベル表示部６に表示される２種類の表示の区別が容易となるので、調理の進捗状況をより把握しやすくすることができる。更に、共通のＬＥＤを用いてユーザが設定した焼き色レベルと現在のパンの焼き色レベルとをユーザに報知することが可能であるため、部品を共通化でき製品のコストダウンを実現することが可能である。
【００６４】
なお、本実施の形態においては、調理経過時間が調理時間に到達している焼き色レベルの内、最も高い焼き色レベルに対応したＬＥＤのみを点滅表示させる構成で説明したが、例えば、調理経過時間が調理時間に到達している全ての焼き色レベルに対応した点滅させても良いし、調理経過時間が調理時間に到達している各焼き色レベルに対応したＬＥＤを順番にひとつずつ点灯させていくなど、どの焼き色レベルまで調理が進捗しているかがわかるような表示方法であれば、設計変更可能である。
【００６５】
又、本実施例装置では、ユーザに現在の焼き色レベルを報知するためにＬＥＤを用いたが、ＬＣＤ（Ｌｉｑｕｉｄ  Ｃｒｙｓｔａｌ  Ｄｉｓｐｌａｙ）表示装置等を用いて、設定した焼き色レベルと現在の焼き色レベルとを報知する構成としても良い。
【産業上の利用可能性】
【００６６】
以上のように、本発明にかかるトースターは、調理中のパンの焼き色を見ることができない構造であっても、調理中にパンがどの程度の焼き色まで焼けているのかを知ることが可能となるので、焼き色や硬さなどを複数のレベルから選択可能な他の調理器にも適用できる。
【符号の説明】
【００６７】
１  加熱部
２  制御部
３  調理時間記憶部
４  調理経過時間計時部
５  焼き色レベル選択部
６  焼き色レベル表示部
【図１】
2013252277.tif 000003
【図２】
2013252277.tif 000004
【図３】
2013252277.tif 000005
【図４】
2013252277.tif 000006
【図５】
2013252277.tif 000007
【図６】
2013252277.tif 000008
【図７】
2013252277.tif 000009